(57)【特許請求の範囲】
【請求項１】
便器に設置される温水洗浄装置の制御装置であって、スイッチと、該スイッチからの信号が入力される制御装置本体とを有する制御装置において、
前記制御装置本体は、温水洗浄装置の温水噴出開始から所定時間Ｔが経過すると強制的に温水噴出を停止する制御を行うものであり、
該制御装置本体に着座センサが接続されている場合と着座センサが接続されていない場合とで該時間Ｔが異なることを特徴とする温水洗浄装置の制御装置。
【請求項２】
便器に設置される温水洗浄装置の制御装置であって、スイッチと、該スイッチからの信号が入力される制御装置本体とを有する制御装置において、
前記制御装置本体は、温水洗浄装置の温水噴出開始から所定時間Ｔが経過すると強制的に温水噴出を停止する制御を行うものであり、
該制御装置本体に複数の端子が設けられ、該端子同士の間が導通されている場合と絶縁されている場合とで該時間Ｔが異なることを特徴とする温水洗浄装置の制御装置。
【発明の詳細な説明】
【０００１】
【発明の属する技術分野】
本発明は温水洗浄装置の制御装置に係り、特に回路基板を温水洗浄装置の異機種で共通化するようにした温水洗浄装置の制御装置に関する。
【０００２】
【従来の技術】
洋風便器に温水洗浄装置を設置する場合、多くの場合、洋風便器の後部上面に便座ボックスを設置し、この便座ボックス内に温水を噴出するためのノズル及び温水供給機構が組み込まれると共に、更に必要に応じて温風乾燥機構や脱臭機構等が組み込まれる。この便座ボックスは、通常、洋風便器の側方に張り出す張出部を有し、この張出部の上面に、温水供給機構等の操作スイッチが設けられている。
【０００３】
第２図（ａ）は、このように便座ボックスを設置して洋風便器に温水洗浄装置を取り付けた従来例を示す斜視図であり、この便座ボックス１０は、洋風便器１１の便鉢の後部上面に設置される本体１２と、本体１２から張り出す張出部１３とを有し、この張出部１３の上面にスイッチパネル（銘板）１４が設けられている。
【０００４】
便座ボックス本体１２には、洗浄ノズル１５，１６及び温風乾燥ファン（図示略）等が設けられている。また、この本体１２には、便座１７、便蓋１８が上下方向に回動可能に取り付けられている。１９は洋風便器１１の最後部上面に設置されたロータンクを示す。
【０００５】
張出部上面のスイッチパネル１４には、第２図（ｂ）に示す如く、肛門洗浄（シャワー洗浄）、ビデ洗浄、温風乾燥等の作動をストップさせるストップスイッチ２０、肛門洗浄用操作スイッチ（シャワースイッチ）２１、ビデ洗浄用操作スイッチ２２、温風を吹き出させるドライスイッチ２３、洗浄の広がりを調整するためのワイド洗浄入／切スイッチ２４、洗浄位置前進スイッチ２５、その後退スイッチ２６、便座の温度を調整するための便座温度調節スイッチ２７、洗浄強さを調整するダイヤル２８、シャワー等の水温を調整する温水温度調節スイッチ２９等が配置されている。
【０００６】
【発明が解決しようとする課題】
温水洗浄装置の機能としては、上記のように通常洗浄、ワイド洗浄、乾燥、脱臭など種々のものがあり、温水洗浄装置の機種により搭載する機能が異なる。例えば、ある機種のものは通常洗浄と乾燥の機能のみが搭載され、別の機種のものはさらにワイド洗浄機能を備え、さらに別の機種は洗浄及び乾燥と脱臭機能を備える等である。
【０００７】
従来は、機能が異なる機種についてはスイッチパネルを機種毎に設けると共に、このスイッチパネルに対応したスイッチ基板を製造し、スイッチパネルとスイッチ基板とを対にして、便座ボックスに組み込むようにしている。
【０００８】
このように機種毎に異なるスイッチパネル及びスイッチ基板を用いる従来例にあっては、スイッチパネルだけでなくスイッチ基板の品番も多くなり、生産管理、物流管理のコストが嵩んでいた。
【０００９】
なお、温水洗浄装置としてセルフストップ機能を有したものがある。このセルフストップ機能とは、温水洗浄装置から温水を噴出させた場合、所定時間Ｔが経過すると自動的に温水噴出を停止させる機能である。このセルフストップ機能を設けておくと、何らかの誤作動要因により温水洗浄装置を使用していないにも関らずノズルから温水が噴出した場合であっても、時間Ｔが経過すると自動的に温水噴出が停止するのでトイレルーム内が水浸しになることが防止される。
【００１０】
この時間Ｔを着座センサのある機種と無い機種とで異ならせるようにしている。着座センサを有した温水洗浄装置にあっては、着座センサが着座を検知している場合に限りノズルからの温水噴出を可能とし、着座していないにも関らず温水噴出することを防止している。この意味では、着座センサ付きの温水洗浄装置は、使用者がいないにも関らず温水噴出する事態を防止する機能を有していることになるが、何らかの故障によりこの防止機能が働かないことがあり得るので、やはりセルフストップ機能は設けておくべきである。
【００１１】
ただし、着座センサがある機種は、温水噴出誤作動のおそれは、着座センサが無い機種に比べて格段に低いから、セルフストップ機能が起動するまでの時間Ｔは、着座センサのない機種の場合よりも長く設定されてもよい。
【００１２】
そこで、従来は、着座センサの着座信号による温水噴出制御を行う機種にあっては時間Ｔを例えば１２０ｓｅｃと長目に設定し、着座センサが無い機種では該時間Ｔを例えば６０ｓｅｃと短目に設定している。
【００１３】
このように着座センサの有無によっても制御内容が異なり、この制御内容毎に基板に搭載する制御装置本体を異ならせている。例えば、異なるプログラムを書き込んだマイコンが基板に搭載される。この結果としても、基板の種類が多くなっていた。
【００１４】
本発明は、このような基板の生産管理及び物流管理コストを著しく低減させることができる温水洗浄装置の制御装置を提供することを目的とする。
【００１５】
【課題を解決するための手段】
本発明（請求項１）の温水洗浄装置の制御装置は、便器に設置される温水洗浄装置の制御装置であって、スイッチと、該スイッチからの信号が入力される制御装置本体とを有する制御装置において、前記制御装置本体は、温水洗浄装置の温水噴出開始から所定時間Ｔが経過すると強制的に温水噴出を停止する制御を行うものであり、該制御装置本体に着座センサが接続されている場合と着座センサが接続されていない場合とで該時間Ｔが異なることを特徴とするものである。
【００１６】
本発明（請求項２）の温水洗浄装置は、便器に設置される温水洗浄装置の制御装置であって、スイッチと、該スイッチからの信号が入力される制御装置本体とを有する制御装置において、前記制御装置本体は、温水洗浄装置の温水噴出開始から所定時間Ｔが経過すると強制的に温水噴出を停止する制御を行うものであり、該制御装置本体に複数の端子が設けられ、該端子同士の間が導通されている場合と絶縁されている場合とで該時間Ｔが異なることを特徴とするものである。
【００１７】
かかる本発明の温水洗浄装置の制御装置では、温水洗浄装置の温水噴出開始から所定時間Ｔが経過すると強制的に温水噴出を停止する制御を行う基板において、着座センサの接続の有無あるいは端子間の導通、絶縁に応じて該時間Ｔを異なる。従って、基板の品番を半減あるいはそれよりも少なくすることが可能となる。
【００１９】
【発明の実施の形態】
以下、第１図及び第３図を参照して実施の形態について説明する。第１図（ａ），（ｂ）及び第３図(ａ)，（ｂ）はそれぞれ実施の形態に係る温水洗浄装置の制御ブロック図である。なお、第１図（ａ）及び第３図(ａ)では着座センサが設けられており、第１図（ｂ）及び第３図（ｂ）では着座センサが設けられていない。
【００２０】
図示はしないが、これらの実施の形態においても前記第２図と同様に、温水噴出機構が便座ボックス内に配置され、この便座ボックスは便座ボックス本体と、該便座ボックス本体から洋風便器の側方に張り出す張出部を備えている。この張出部の上面に、スイッチパネル（スイッチ銘板）が設置され、このスイッチパネルの下側に回路基板（スイッチ基板）が設置されている。
【００２１】
この回路基板にシャワースイッチ要素１、ビデスイッチ要素２、ストップスイッチ要素３が設けられると共に、これらのスイッチ要素１，２，３から信号が入力されるマイクロコンピュータ等よりなる制御装置本体５が該回路基板に設けられている。
【００２２】
また、第１図（ａ）にあっては、便座に対する着座を検知する着座センサ４が制御装置本体５の着座センサ接続部８に接続され、その出力信号が制御装置本体５に入力されている。この制御装置本体５から温水供給装置６に制御信号が出力される。この温水供給装置６は温水タンクから温水をシャワー用洗浄ノズル及びビデ用シャワーノズルへ供給するためのものであり、ポンプ及び切替弁を備えている。
【００２３】
このように制御装置本体５に着座センサ４が接続されているときには、制御装置本体５にあっては着座センサ４が接続されている場合の制御モードが実行される。
【００２４】
第１図（ｂ）では、着座センサ接続部８に着座センサが接続されておらず、制御装置本体５にあっては着座センサ４が無い場合の制御モードが実行される。
【００２５】
第３図の制御装置にあっては、制御装置本体５に１対の端子７が設けられている。この端子７同士の間が第３図（ａ）の通り絶縁されているときには、制御装置本体５にあっては着座センサ４が接続されている場合の制御モードが実行される。
【００２６】
第３図（ｂ）では、端子７，７間が短絡されており、着座センサ４が無い場合の制御モードが実行される。
【００２７】
第１図（ａ），（ｂ）及び第３図(ａ)，（ｂ）のいずれの温水洗浄装置の制御装置においても、便座に着座した状態でシャワースイッチ又はビデスイッチを押すと、シャワースイッチ要素１又はビデスイッチ要素２から信号が制御装置本体５に入力され、温水供給装置６からシャワー用洗浄ノズル又はビデ用洗浄ノズルに温水が供給され、シャワー洗浄又はビデ洗浄が行われる。ストップスイッチが押されるとストップスイッチ要素３からの指示により、温水供給装置６が洗浄ノズルへの温水供給を停止する。
【００２８】
なお、第１図（ａ）及び第３図(ａ)では、着座センサ４が着座を検知していないときには、シャワースイッチ又はビデスイッチのいずれを押しても洗浄ノズルに温水が供給されることはない。
【００２９】
この制御装置本体５にはセルフストップ機能が設けられている。即ち、シャワースイッチ又はビデスイッチが押されてシャワー洗浄ノズル又はビデ洗浄ノズルから温水噴出が開始した後、所定時間Ｔが経過すると自動的に温水噴出を停止させるように温水供給装置６が制御される。
【００３０】
第１図（ａ）及び第３図(ａ)では、この所定時間Ｔは１２０ｓｅｃに設定され、第１図（ｂ）及び第３図(ｂ)では、この所定時間Ｔは６０ｓｅｃに設定されている。即ち、第１図（ａ）及び第３図(ａ)では着座状態においてシャワースイッチ又はビデスイッチを押すと、ストップスイッチが押されなくても１２０ｓｅｃ経過すると温水噴出が停止する。第１図（ｂ）及び第３図(ｂ)では着座の有無に関らず、シャワースイッチ又はビデスイッチを押すと、ストップスイッチが押されなくても６０ｓｅｃ経過すると温水噴出が停止される。ただし、６０ｓｅｃ，１２０ｓｅｃは一例であり、他の秒数としてもよいことは明らかである。
【００３１】
第１図（ａ），（ｂ）において、また第３図(ａ)，（ｂ）において、制御装置本体５は同一のものであり、制御装置本体５に書き込まれている制御プログラムも同一である。このプログラムの実行開始時又は実行途中で着座センサの接続の有無あるいは端子７，７間の絶縁又は導通がルックアップされ、接続部８に着座センサ４が接続されているとき、あるいは端子７，７間が絶縁されているときには第１図（ａ）、第３図(ａ)の場合の制御が実行され、接続部８に着座センサ４が接続されていないとき、あるいは端子７，７間が導通されているときには第１図（ｂ）、第３図（ｂ）の場合の制御が実行される。
【００３２】
なお、第３図において端子７，７間を導通させるには、例えば導通用のソケットを端子７，７に装着する等の手法を採用すればよい。
【００３３】
このように、制御装置本体の構成、プログラム等も全く同一とした基板を、着座センサ付きの温水供給装置と着座センサ無しの温水供給装置とに適用することができる。これにより、少品種大量生産方式にて基板を安価に製造することが可能となる。
【００３４】
上記実施の形態は温水供給装置の着座センサ有無の２モードを切り替えるようにしているが、他のモードを切り替えるようにしてもよい。また、２対以上の端子を設け多数のモード切替を可能としてもよい。
【００３５】
【発明の効果】
以上の通り、本発明によると基板の品番をきわめて少なくし、生産管理及び物流管理コストを著しく低減させることができる。
【図面の簡単な説明】
【図１】第１図（ａ），（ｂ）は実施の形態に係る温水洗浄装置の制御ブロック図である。
【図２】第２図（ａ）は、従来の便座ボックスを設けた洋風便器の斜視図であり、第２図（ｂ）はこの便座ボックスのスイッチパネルの平面図である。
【図３】第３図（ａ），（ｂ）は別の実施の形態に係る温水洗浄装置の制御ブロック図である。
【符号の説明】
１  シャワースイッチ要素
２  ビデスイッチ要素
３  ストップスイッチ要素
４  着座センサ
５  制御装置本体
６  温水供給装置
７  端子
８  着座センサ接続部
１０  便座ボックス
１１  洋風便器
１２  便座ボックス本体
１３  張出部
１４  スイッチパネル
１５  洗浄ノズル
１７  便座
１８  便蓋
１９  ロータンク
２０  ストップスイッチ
２１，２２  洗浄用操作スイッチ
２３  ドライスイッチ
【図１】
0003659097.tif 000002
【図２】
0003659097.tif 000003
【図３】
0003659097.tif 000004